【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
対象における眼球運動を追跡し、追跡された眼球運動のデータを対象における中枢神経系病変を位置特定するための指標として用いるためのデバイスの作動方法であって、
（ａ）前記対象の両方の眼の眼球運動を追跡するステップと；
（ｂ）前記対象の両方の眼の眼球運動を分析するステップと；
（ｃ）前記対象の第１の眼の眼球運動を前記対象の第２の眼の眼球運動と比較するステップと；
（ｄ）前記対象を、第２の眼の眼球運動と有意に異なる第１の眼の眼球運動を有すると同定するステップと；
（ｅ）前記中枢神経系病変を位置特定するステップと
を含む、方法。
【請求項２】
眼の位置の少なくとも約１００，０００サンプルが得られる、請求項１に記載の方法。
【請求項３】
眼球運動が、視覚刺激に応答して追跡される、請求項１に記載の方法。
【請求項４】
眼球運動が、約３０〜約５００秒の期間にわたって追跡される、請求項１に記載の方法。
【請求項５】
前記対象の第１の眼の眼球運動を前記対象の第２の眼の眼球運動と比較するステップが、ある時間にわたる瞳孔反射の瞬時角度の２つの成分（水平、垂直）を表す（ｘ，ｙ）値の対を生成およびプロットすることによって実施される、請求項１に記載の方法。
【請求項６】
前記対象の第１の眼の眼球運動を前記対象の第２の眼の眼球運動と比較するステップが、視覚刺激によって進められる軌跡を反映するボックスに実質的に類似している図を作成することによって実施される、請求項１に記載の方法。
【請求項７】
前記対象を、第２の眼の眼球運動と有意に異なる第１の眼の眼球運動を有すると同定するステップが、正常者の釣鐘曲線から離れた非共同性尺度を有する対象を同定することを含む、請求項１に記載の方法。
【請求項８】
対象における眼球運動を追跡し、追跡された眼球運動のデータを対象における中枢神経系病変を診断するための指標として用いるためのデバイスの作動方法であって、
ａ）前記対象の両方の眼の眼球運動を追跡するステップと；
ｂ）前記対象の両方の眼の眼球運動を分析するステップと；
ｃ）前記対象の第１の眼の眼球運動を前記対象の第２の眼の眼球運動と比較するステップと；
ｄ）前記対象を、第２の眼の眼球運動と有意に異なる第１の眼の眼球運動を有すると同定するステップと
を含む、方法。
【請求項９】
眼の位置の少なくとも約１００，０００サンプルが得られる、請求項８に記載の方法。
【請求項１０】
眼球運動が、視覚刺激に応答して追跡される、請求項８に記載の方法。
【請求項１１】
眼球運動が、約３０〜約５００秒の期間にわたって追跡される、請求項８に記載の方法。
【請求項１２】
前記対象の第１の眼の眼球運動を前記対象の第２の眼の眼球運動と比較するステップが、ある時間にわたる瞳孔反射の瞬時角度の２つの成分（水平、垂直）を表す（ｘ，ｙ）値の対を生成およびプロットすることによって実施される、請求項８に記載の方法。
【請求項１３】
前記対象の第１の眼の眼球運動を前記対象の第２の眼の眼球運動と比較するステップが、視覚刺激によって進められる軌跡を反映するボックスに実質的に類似している図を作成することによって実施される、請求項８に記載の方法。
【請求項１４】
前記対象を、第２の眼の眼球運動と有意に異なる第１の眼の眼球運動を有すると同定するステップが、２超のｚスコアを有する対象を同定することを含む、請求項８に記載の方法。
【請求項１５】
対象における眼球運動を追跡し、追跡された眼球運動のデータを、頭蓋内圧の増大を特徴として備える疾患または状態を検出し、診断し、その進行を監視し、またはそれについてスクリーニングするための指標として用いるためのデバイスの作動方法であって、
ａ）対象の両方の眼の眼球運動を追跡するステップと；
ｂ）対象の両方の眼の眼球運動を分析するステップと；
ｃ）前記対象の第１の眼の眼球運動を前記対象の第２の眼の眼球運動と比較するステップと；
ｄ）前記対象を、第２の眼の眼球運動と有意に異なる第１の眼の眼球運動を有すると同定するステップと
を含む、方法。
【請求項１６】
頭蓋内圧の増大を特徴として備える前記疾患または状態が、外傷、脳血管発作（ＣＶＡ）、動脈瘤、血管病変、腫瘍、感染過程、炎症疾患、静脈排出路の混乱、偽腫瘍、水頭症または特発性からなる群から選択される、請求項１５に記載の方法。
【請求項１７】
対象における中枢神経系病変を診断し、もしくは位置特定し、脳神経機能もしくは伝導の低減もしくは障害を検出し、もしくはそれについてスクリーニングし、頭蓋内圧の増大を検出し、診断し、もしくはそれについてスクリーニングし、または頭蓋内圧の増大を特徴として備える疾患もしくは状態を検出し、診断し、その進行を監視し、もしくはそれについてスクリーニングするのに有用であるキットであって、眼球運動を追跡するためのデバイス、眼球運動追跡データを分析するための１つまたは複数の手段、および指示書を含む、キット。
【請求項１８】
対象を評価するために自己に記憶された指示を有する非一時的なコンピュータ可読媒体であって、前記指示は、ハードウェアプロセッサによって実行されるとき、
ａ）前記対象の眼球運動に関係するデータを受け取るステップと；
ｂ）前記対象の前記眼球運動データを分析するステップと；
ｃ）前記対象の第１の眼の眼球運動データを前記対象の第２の眼の眼球運動データと比較するステップと；
ｄ）前記対象を、第２の眼の眼球運動と有意に異なる第１の眼の眼球運動を有すると同定するステップと
を実施する、非一時的なコンピュータ可読媒体。
【請求項１９】
対象における眼球運動を追跡し、追跡された眼球運動のデータを、対象における眼球運動の共同性または非共同性、および輻輳障害を評価するための指標として用いるためのデバイスの作動方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
【請求項２０】
前記試験した時間にわたる前記第２の眼と比較した前記第１の眼のｘおよびｙ座標の両方の間の前記差異の前記総和が、健康な対照における、あるいは１つもしくは複数の健康な対照に基づいた、または前記試験した時間の前のある時間における前記対象に基づいた参照値における、前記試験した時間にわたる前記第２の眼と比較した前記第１の眼のｘおよびｙ座標の両方の間の前記差異の前記総和より少なくとも５０％大きい、請求項１９に記載の方法。
【請求項２１】
眼球運動を追跡する前記ステップが、合計１２０秒またはそれ超にわたって実施される、請求項１９に記載の方法。
【請求項２２】
眼の位置の１００，０００またはそれ超のサンプルが得られる、請求項１９に記載の方法。
【請求項２３】
前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップが、（ｘ，ｙ）値の対をプロットすることを含む、請求項１９に記載の方法。
【請求項２４】
前記試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方が、以下のように全分散を計算することを含む、請求項１９に記載の方法。
【数３９】
2016523632.tif 000001
【請求項２５】
対象における眼球運動を追跡し、追跡された眼球運動のデータを、対象における非共同性注視または斜視によって特徴付けられ、またはそれを特徴として備える疾患を診断するための指標として用いるためのデバイスの作動方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
【請求項２６】
前記疾患が、外傷、水頭症、脱髄、炎症、感染、変性疾患、新生物／腫瘍随伴症候群、糖尿病を含めた代謝疾患、または血管破裂、例えば、脳卒中、出血、もしくは動脈瘤形成など、および眼科学的疾患からなる群から選択される、請求項２５に記載の方法。
【請求項２７】
前記眼科学的疾患が、斜視、結膜炎、眼筋麻痺、および眼傷害からなる群から選択される、請求項２６に記載の方法。
【請求項２８】
対象における眼球運動を追跡し、追跡された眼球運動のデータを、対象における中枢神経系の完全性を評価および定量化するための指標として用いるためのデバイスの作動方法であって：
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
【請求項２９】
対象における眼球運動を追跡し、追跡された眼球運動のデータを、非共同性注視または斜視によって特徴付けられる疾患または状態を検出し、その進行を監視し、またはそれについてスクリーニングするための指標として用いるためのデバイスの作動方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
【請求項３０】
前記疾患が、外傷、水頭症、脱髄、炎症、感染、変性疾患、新生物／腫瘍随伴症候群、糖尿病を含めた代謝疾患、または血管破裂、例えば、脳卒中、出血、もしくは動脈瘤形成など、および眼科学的疾患からなる群から選択される、請求項２９に記載の方法。
【請求項３１】
前記眼科学的疾患が、斜視、結膜炎、眼筋麻痺、および眼傷害からなる群から選択される、請求項２９に記載の方法。
【請求項３２】
対象における眼球運動を追跡し、追跡された眼球運動のデータを、非共同性注視または斜視の程度を定量化するための指標として用いるためのデバイスの作動方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
【請求項３３】
非共同性注視もしくは斜視を検出し、それについてスクリーニングし、もしくはそれを定量化するのに有用であり、対象における非共同性注視もしくは斜視によって特徴付けられる疾患を診断するのに有用であり、対象における非共同性注視もしくは斜視によって特徴付けられる疾患もしくは状態を検出し、その進行を監視し、もしくはそれについてスクリーニングするのに有用であり、または非共同性注視もしくは斜視の程度を定量化するのに有用であるキットであって、眼球運動追跡データを分析するための１つまたは複数の手段を備える眼球運動を追跡するためのデバイスを含有する、キット。
【請求項３４】
対象の注視の共同性を評価するために自己に記憶された指示を有する非一時的なコンピュータ可読媒体であって、前記指示は、ハードウェアプロセッサによって実行されるとき、
ａ）前記対象の両方の眼の眼球運動に関係するデータを受け取るステップと；
ｂ）前記対象の両方の眼の前記眼球運動データを分析するステップと；
ｃ）前記対象の第１の眼の眼球運動データを前記対象の第２の眼の眼球運動データと比較するステップと；
ｄ）前記対象を、第２の眼の眼球運動と有意に異なる第１の眼の眼球運動を有すると同定するステップと
を実施する、非一時的なコンピュータ可読媒体。
【請求項３５】
対象の注視の共同性を評価するために自己に記憶された指示を有する請求項１６に記載の非一時的なコンピュータ可読媒体であって、前記指示は、ハードウェアプロセッサによって実行されるとき、
ａ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｂ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｃ）前記試験した時間にわたる前記第２の眼と比較した前記第１の眼のｘおよびｙ座標の両方の間の差異の総和を提供するステップと
をさらに実施する、請求項１６に記載の非一時的なコンピュータ可読媒体。
【請求項３６】
対象における眼球運動を追跡し、追跡された眼球運動のデータを、対象における構造的および非構造的外傷性脳傷害を評価または定量化するための指標として用いるためのデバイスの作動方法であって、
ａ）前記対象の少なくとも一方の眼の眼球運動を追跡するステップと；
ｂ）前記対象の少なくとも一方の眼の眼球運動を分析するステップと；
ｃ）前記対象の少なくとも一方の眼の眼球運動を正常なまたは平均の眼球運動と比較するステップと；任意選択で
ｄ）前記正常なまたは平均の眼球運動と比較した前記対象の少なくとも一方の眼の眼球運動についての標準偏差またはｐ値を計算するステップと
を含む、方法。
【請求項３７】
前記対象の両方の眼の眼球運動が追跡および分析される、請求項３６に記載の方法。
【請求項３８】
対象の一方または両方の眼についての眼の位置のｘおよびｙ座標の両方が収集される、請求項３６に記載の方法。
【請求項３９】
前記眼球運動が、少なくとも約１００秒またはそれ超にわたって追跡される、請求項３６に記載の方法。
【請求項４０】
前記対象の少なくとも一方の眼の眼球運動を正常なまたは平均の眼球運動と比較する前記ステップが、前記対象の少なくとも一方の眼の眼球運動を前記対象の他方の眼の眼球運動と比較すること、または前記対象の少なくとも一方の眼の眼球運動を１つもしくは複数の他の対象もしくは対照の眼の眼球運動と比較することを含む、請求項３６に記載の方法。
【請求項４１】
前記対象の少なくとも一方の眼の眼球運動を正常なまたは平均の眼球運動と比較する前記ステップが、前記対象の両方の眼の眼球運動を１つまたは複数の他の対象または対照の一方または両方の眼の眼球運動と比較することを含む、請求項３６に記載の方法。
【請求項４２】
前記追跡するステップ、分析するステップ、および比較するステップが、瞳孔位置の未処理のｘおよびｙデカルト座標を収集すること、前記未処理のｘおよびｙデカルト座標を正規化すること、ならびに眼によってデータを分類することを含む、請求項３６に記載の方法。
【請求項４３】
前記分析するステップおよび比較するステップが、
【数４０−１】
2016523632.tif 000002
【数４０−２】
2016523632.tif 000003
からなる群から選択される１つまたは複数の個々の測定基準を計算することを含む、請求項３６に記載の方法。
【請求項４４】
前記分析するステップおよび比較するステップが、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ
ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ
ｖａｒＹｌｅｆからなる群から選択される１つまたは複数の個々の測定基準を計算することを含む、請求項３６に記載の方法。
【請求項４５】
前記構造的または非構造的外傷性脳傷害が、脳振盪または軽症脳振盪である、請求項３６に記載の方法。
【請求項４６】
対象における眼球運動を追跡し、追跡された眼球運動のデータを、対象における構造的および非構造的外傷性脳傷害によって特徴付けられ、またはそれを特徴として備える疾患を診断するための指標として用いるためのデバイスの作動方法であって、
ａ）前記対象の少なくとも一方の眼の眼球運動を追跡するステップと；
ｂ）前記対象の少なくとも一方の眼の眼球運動を分析するステップと；
ｃ）前記対象の少なくとも一方の眼の眼球運動を正常なまたは平均の眼球運動と比較するステップと；任意選択で
ｄ）前記正常なまたは平均の眼球運動と比較した前記対象の少なくとも一方の眼の眼球運動についての標準偏差またはｐ値を計算するステップと
を含む、方法。
【請求項４７】
前記対象の両方の眼の眼球運動が追跡および分析される、請求項４６に記載の方法。
【請求項４８】
対象の一方または両方の眼についての眼の位置のｘおよびｙ座標の両方が収集される、請求項４６に記載の方法。
【請求項４９】
前記眼球運動が、少なくとも約１００秒またはそれ超にわたって追跡される、請求項４６に記載の方法。
【請求項５０】
前記対象の少なくとも一方の眼の眼球運動を正常なまたは平均の眼球運動と比較する前記ステップが、前記対象の少なくとも一方の眼の眼球運動を前記対象の他方の眼の眼球運動と比較すること、または前記対象の少なくとも一方の眼の眼球運動を１つもしくは複数の他の対象もしくは対照の眼の眼球運動と比較することを含む、請求項４６に記載の方法。
【請求項５１】
前記対象の少なくとも一方の眼の眼球運動を正常なまたは平均の眼球運動と比較する前記ステップが、前記対象の両方の眼の眼球運動を１つまたは複数の他の対象または対照の一方または両方の眼の眼球運動と比較することを含む、請求項４６に記載の方法。
【請求項５２】
前記追跡するステップ、分析するステップ、および比較するステップが、瞳孔位置の未処理のｘおよびｙデカルト座標を収集すること、前記未処理のｘおよびｙデカルト座標を正規化すること、ならびに眼によってデータを分類することを含む、請求項４６に記載の方法。
【請求項５３】
前記分析するステップおよび比較するステップが、
【数４１−１】
2016523632.tif 000004
【数４１−２】
2016523632.tif 000005
からなる群から選択される１つまたは複数の個々の測定基準を計算することを含む、請求項４６に記載の方法。
【請求項５４】
前記分析するステップおよび比較するステップが、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ  ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ  ｖａｒＹｌｅｆからなる群から選択される１つまたは複数の個々の測定基準を計算することを含む、請求項４６に記載の方法。
【請求項５５】
前記構造的または非構造的外傷性脳傷害が、脳振盪または軽症脳振盪である、請求項４６に記載の方法。
【請求項５６】
対象における眼球運動を追跡し、追跡された眼球運動のデータを、対象における構造的および非構造的外傷性脳傷害を評価もしくは定量化し、または構造的および非構造的外傷性脳傷害によって特徴付けられ、もしくはそれを特徴として備える疾患を診断するための指標として用いるためのデバイスの作動方法であって、
ａ）前記対象の少なくとも一方の眼の眼球運動を追跡するステップと；
ｂ）瞳孔位置の未処理のｘおよびｙデカルト座標を収集するステップと；
ｃ）前記未処理のｘおよびｙデカルト座標を正規化するステップと；
ｄ）１つまたは複数の個々の測定基準を計算するステップと
を含む、方法。
【請求項５７】
前記対象の両方の眼の眼球運動が追跡および分析される、請求項５６に記載の方法。
【請求項５８】
前記対象の両方の眼の瞳孔位置のｘおよびｙ座標の両方が収集される、請求項５６に記載の方法。
【請求項５９】
前記眼球運動が、少なくとも約１００秒またはそれ超にわたって追跡される、請求項５６に記載の方法。
【請求項６０】
前記個々の測定基準が、
【数４２−１】
2016523632.tif 000006
【数４２−２】
2016523632.tif 000007
からなる群から選択される、請求項５６に記載の方法。
【請求項６１】
前記個々の測定基準が、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ  ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ  ｖａｒＹｌｅｆからなる群から選択される、請求項２１に記載の方法。
【請求項６２】
前記構造的または非構造的外傷性脳傷害が、脳振盪または軽症脳振盪である、請求項５６に記載の方法。
【請求項６３】
対象における構造的および非構造的外傷性脳傷害を検出し、それについてスクリーニングし、またはそれを定量化するのに有用であるキットであって、眼球運動を追跡するためのデバイス、眼球運動追跡データを分析するための１つまたは複数の手段、例えば、アルゴリズムまたはコンピュータプログラムなど、および指示書を含有する、キット。
【請求項６４】
対象における構造的および非構造的外傷性脳傷害を評価もしくは定量化し、または構造的および非構造的外傷性脳傷害によって特徴付けられ、もしくはそれを特徴として備える疾患を診断するために自己に記憶された指示を有する非一時的なコンピュータ可読媒体であって、前記指示は、ハードウェアプロセッサによって実行されるとき、
ａ）前記対象の一方または両方の眼の眼球運動に関係するデータを受け取るステップと；
ｂ）前記対象の一方または両方の眼の前記眼球運動データを分析するステップと；
ｃ）前記対象の一方または両方の眼の眼球運動データを正常なまたは平均の眼球運動と比較するステップと；任意選択で
ｄ）前記正常なまたは平均の眼球運動と比較した前記対象の一方または両方の眼の眼球運動についての標準偏差またはｐ値を計算するステップと
を実施する、非一時的なコンピュータ可読媒体。
【請求項６５】
対象における構造的および非構造的外傷性脳傷害を定量化し、または構造的および非構造的外傷性脳傷害によって特徴付けられ、もしくはそれを特徴として備える疾患を診断するために自己に記憶された指示を有する請求項６４に記載の非一時的なコンピュータ可読媒体であって、前記指示は、ハードウェアプロセッサによって実行されるとき、
ａ）前記対象の少なくとも一方の眼の眼球運動を追跡するステップと；
ｂ）瞳孔位置の未処理のｘおよびｙデカルト座標を収集するステップと；
ｃ）前記未処理ｘおよびｙデカルト座標を正規化するステップと；
ｄ）１つまたは複数の個々の測定基準を計算するステップと
をさらに実施する、請求項６４に記載の非一時的なコンピュータ可読媒体。
【手続補正２】
【補正対象書類名】明細書
【補正対象項目名】００９７
【補正方法】変更
【補正の内容】
【００９７】
一部の事例では、本明細書に記載するように計算されるＶａｒｘもしくはＶａｒｙまたは両方は、０．０５、０．０７、０．１、０．１５、０．２０、０．２５、０．３０、０．４０、０．５０、０．６０、０．７５、０．９０、１．０、１．１０、１．２５、１．５０、１．７５、もしくは２．０、またはそれ超であり得る。同様に、一部の事例では、本明細書に記載するように計算されるＶａｒＴｏｔは、注視の非共同性または斜視によって特徴付けられ、またはそれを特徴として備える神経疾患または状態を有する対象において、０．１、０．１５、０．２０、０．２５、０．３０、０．４０、０．５０、０．６０、０．７５、０．９０、１．０、１．１０、１．２５、１．５０、１．７５、２．０、２．５０、３．０、もしくは４．０、またはそれ超であり得る。
本発明は、例えば、以下の項目を提供する。
（項目１）
対象における中枢神経系病変を位置特定するための方法であって、
（ａ）前記対象の両方の眼の眼球運動を追跡するステップと；
（ｂ）前記対象の両方の眼の眼球運動を分析するステップと；
（ｃ）前記対象の第１の眼の眼球運動を前記対象の第２の眼の眼球運動と比較するステップと；
（ｄ）前記対象を、第２の眼の眼球運動と有意に異なる第１の眼の眼球運動を有すると同定するステップと；
（ｅ）前記中枢神経系病変を位置特定するステップと
を含む、方法。
（項目２）
眼の位置の少なくとも約１００，０００サンプルが得られる、項目１に記載の方法。
（項目３）
眼球運動が、視覚刺激に応答して追跡される、項目１に記載の方法。
（項目４）
眼球運動が、約３０〜約５００秒の期間にわたって追跡される、項目１に記載の方法。
（項目５）
前記対象の第１の眼の眼球運動を前記対象の第２の眼の眼球運動と比較するステップが、ある時間にわたる瞳孔反射の瞬時角度の２つの成分（水平、垂直）を表す（ｘ，ｙ）値の対を生成およびプロットすることによって実施される、項目１に記載の方法。
（項目６）
前記対象の第１の眼の眼球運動を前記対象の第２の眼の眼球運動と比較するステップが、視覚刺激によって進められる軌跡を反映するボックスに実質的に類似している図を作成することによって実施される、項目１に記載の方法。
（項目７）
前記対象を、第２の眼の眼球運動と有意に異なる第１の眼の眼球運動を有すると同定するステップが、正常者の釣鐘曲線から離れた非共同性尺度を有する対象を同定することを含む、項目１に記載の方法。
（項目８）
対象における中枢神経系病変を診断するための方法であって、
ａ）前記対象の両方の眼の眼球運動を追跡するステップと；
ｂ）前記対象の両方の眼の眼球運動を分析するステップと；
ｃ）前記対象の第１の眼の眼球運動を前記対象の第２の眼の眼球運動と比較するステップと；
ｄ）前記対象を、第２の眼の眼球運動と有意に異なる第１の眼の眼球運動を有すると同定するステップと
を含む、方法。
（項目９）
眼の位置の少なくとも約１００，０００サンプルが得られる、項目８に記載の方法。
（項目１０）
眼球運動が、視覚刺激に応答して追跡される、項目８に記載の方法。
（項目１１）
眼球運動が、約３０〜約５００秒の期間にわたって追跡される、項目８に記載の方法。
（項目１２）
前記対象の第１の眼の眼球運動を前記対象の第２の眼の眼球運動と比較するステップが、ある時間にわたる瞳孔反射の瞬時角度の２つの成分（水平、垂直）を表す（ｘ，ｙ）値の対を生成およびプロットすることによって実施される、項目８に記載の方法。
（項目１３）
前記対象の第１の眼の眼球運動を前記対象の第２の眼の眼球運動と比較するステップが、視覚刺激によって進められる軌跡を反映するボックスに実質的に類似している図を作成することによって実施される、項目８に記載の方法。
（項目１４）
前記対象を、第２の眼の眼球運動と有意に異なる第１の眼の眼球運動を有すると同定するステップが、２超のｚスコアを有する対象を同定することを含む、項目８に記載の方法。
（項目１５）
頭蓋内圧の増大を特徴として備える疾患または状態を検出し、診断し、その進行を監視し、またはそれについてスクリーニングするための方法であって、
ａ）対象の両方の眼の眼球運動を追跡するステップと；
ｂ）対象の両方の眼の眼球運動を分析するステップと；
ｃ）前記対象の第１の眼の眼球運動を前記対象の第２の眼の眼球運動と比較するステップと；
ｄ）前記対象を、第２の眼の眼球運動と有意に異なる第１の眼の眼球運動を有すると同定するステップと
を含む、方法。
（項目１６）
頭蓋内圧の増大を特徴として備える前記疾患または状態が、外傷、脳血管発作（ＣＶＡ）、動脈瘤、血管病変、腫瘍、感染過程、炎症疾患、静脈排出路の混乱、偽腫瘍、水頭症または特発性からなる群から選択される、項目１５に記載の方法。
（項目１７）
対象における中枢神経系病変を診断し、もしくは位置特定し、脳神経機能もしくは伝導の低減もしくは障害を検出し、もしくはそれについてスクリーニングし、頭蓋内圧の増大を検出し、診断し、もしくはそれについてスクリーニングし、または頭蓋内圧の増大を特徴として備える疾患もしくは状態を検出し、診断し、その進行を監視し、もしくはそれについてスクリーニングするのに有用であるキットであって、眼球運動を追跡するためのデバイス、眼球運動追跡データを分析するための１つまたは複数の手段、および指示書を含む、キット。
（項目１８）
対象を評価するために自己に記憶された指示を有する非一時的なコンピュータ可読媒体であって、前記指示は、ハードウェアプロセッサによって実行されるとき、
ａ）前記対象の眼球運動に関係するデータを受け取るステップと；
ｂ）前記対象の前記眼球運動データを分析するステップと；
ｃ）前記対象の第１の眼の眼球運動データを前記対象の第２の眼の眼球運動データと比較するステップと；
ｄ）前記対象を、第２の眼の眼球運動と有意に異なる第１の眼の眼球運動を有すると同定するステップと
を実施する、非一時的なコンピュータ可読媒体。
（項目１９）
対象における眼球運動の共同性または非共同性、および輻輳障害を評価するための方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
（項目２０）
前記試験した時間にわたる前記第２の眼と比較した前記第１の眼のｘおよびｙ座標の両方の間の前記差異の前記総和が、健康な対照における、あるいは１つもしくは複数の健康な対照に基づいた、または前記試験した時間の前のある時間における前記対象に基づいた参照値における、前記試験した時間にわたる前記第２の眼と比較した前記第１の眼のｘおよびｙ座標の両方の間の前記差異の前記総和より少なくとも５０％大きい、項目１９に記載の方法。
（項目２１）
眼球運動を追跡する前記ステップが、合計１２０秒またはそれ超にわたって実施される、項目１９に記載の方法。
（項目２２）
眼の位置の１００，０００またはそれ超のサンプルが得られる、項目１９に記載の方法。
（項目２３）
前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップが、（ｘ，ｙ）値の対をプロットすることを含む、項目１９に記載の方法。
（項目２４）
前記試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方が、以下のように全分散を計算することを含む、項目１９に記載の方法。
【数３９】
2016523632.tif 000008
（項目２５）
対象における非共同性注視または斜視によって特徴付けられ、またはそれを特徴として備える疾患を診断するための方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
（項目２６）
前記疾患が、外傷、水頭症、脱髄、炎症、感染、変性疾患、新生物／腫瘍随伴症候群、糖尿病を含めた代謝疾患、または血管破裂、例えば、脳卒中、出血、もしくは動脈瘤形成など、および眼科学的疾患からなる群から選択される、項目２５に記載の方法。
（項目２７）
前記眼科学的疾患が、斜視、結膜炎、眼筋麻痺、および眼傷害からなる群から選択される、項目２６に記載の方法。
（項目２８）
対象における中枢神経系の完全性を評価および定量化するための方法であって：
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
（項目２９）
非共同性注視または斜視によって特徴付けられる疾患または状態を検出し、その進行を監視し、またはそれについてスクリーニングするための方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
（項目３０）
前記疾患が、外傷、水頭症、脱髄、炎症、感染、変性疾患、新生物／腫瘍随伴症候群、糖尿病を含めた代謝疾患、または血管破裂、例えば、脳卒中、出血、もしくは動脈瘤形成など、および眼科学的疾患からなる群から選択される、項目２９に記載の方法。
（項目３１）
前記眼科学的疾患が、斜視、結膜炎、眼筋麻痺、および眼傷害からなる群から選択される、項目２９に記載の方法。
（項目３２）
非共同性注視または斜視の程度を定量化するための方法であって、
ａ）前記対象の両方の眼の眼球運動を追跡するステップと；
ｂ）前記対象の両方の眼の眼球運動を分析するステップと；
ｃ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｄ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｅ）前記試験した時間にわたる前記第２の眼と比較した前記第１の眼のｘおよびｙ座標の両方の間の差異の総和を提供するステップと
を含む、方法。
（項目３３）
非共同性注視もしくは斜視を検出し、それについてスクリーニングし、もしくはそれを定量化するのに有用であり、対象における非共同性注視もしくは斜視によって特徴付けられる疾患を診断するのに有用であり、対象における非共同性注視もしくは斜視によって特徴付けられる疾患もしくは状態を検出し、その進行を監視し、もしくはそれについてスクリーニングするのに有用であり、または非共同性注視もしくは斜視の程度を定量化するのに有用であるキットであって、眼球運動追跡データを分析するための１つまたは複数の手段を備える眼球運動を追跡するためのデバイスを含有する、キット。
（項目３４）
対象の注視の共同性を評価するために自己に記憶された指示を有する非一時的なコンピュータ可読媒体であって、前記指示は、ハードウェアプロセッサによって実行されるとき、
ａ）前記対象の両方の眼の眼球運動に関係するデータを受け取るステップと；
ｂ）前記対象の両方の眼の前記眼球運動データを分析するステップと；
ｃ）前記対象の第１の眼の眼球運動データを前記対象の第２の眼の眼球運動データと比較するステップと；
ｄ）前記対象を、第２の眼の眼球運動と有意に異なる第１の眼の眼球運動を有すると同定するステップと
を実施する、非一時的なコンピュータ可読媒体。
（項目３５）
対象の注視の共同性を評価するために自己に記憶された指示を有する項目１６に記載の非一時的なコンピュータ可読媒体であって、前記指示は、ハードウェアプロセッサによって実行されるとき、
ａ）前記対象の第１の眼の前記眼球運動についての任意の時点におけるｘまたはｙデカルト座標を、前記対象の第２の眼の前記眼球運動についての前記時点におけるそれぞれのｘまたはｙデカルト座標と比較するステップと；
ｂ）試験した時間にわたる前記第２の眼と比較した前記第１の眼の前記ｘ座標のすべての間の差異の和を提供するステップ、もしくは前記試験した時間にわたる前記第２の眼と比較した前記第１の眼のｙ座標の差異の和を提供するステップ、または両方と；任意選択で
ｃ）前記試験した時間にわたる前記第２の眼と比較した前記第１の眼のｘおよびｙ座標の両方の間の差異の総和を提供するステップと
をさらに実施する、項目１６に記載の非一時的なコンピュータ可読媒体。
（項目３６）
対象における構造的および非構造的外傷性脳傷害を評価または定量化するための方法であって、
ａ）前記対象の少なくとも一方の眼の眼球運動を追跡するステップと；
ｂ）前記対象の少なくとも一方の眼の眼球運動を分析するステップと；
ｃ）前記対象の少なくとも一方の眼の眼球運動を正常なまたは平均の眼球運動と比較するステップと；任意選択で
ｄ）前記正常なまたは平均の眼球運動と比較した前記対象の少なくとも一方の眼の眼球運動についての標準偏差またはｐ値を計算するステップと
を含む、方法。
（項目３７）
前記対象の両方の眼の眼球運動が追跡および分析される、項目３６に記載の方法。
（項目３８）
対象の一方または両方の眼についての眼の位置のｘおよびｙ座標の両方が収集される、項目３６に記載の方法。
（項目３９）
前記眼球運動が、少なくとも約１００秒またはそれ超にわたって追跡される、項目３６に記載の方法。
（項目４０）
前記対象の少なくとも一方の眼の眼球運動を正常なまたは平均の眼球運動と比較する前記ステップが、前記対象の少なくとも一方の眼の眼球運動を前記対象の他方の眼の眼球運動と比較すること、または前記対象の少なくとも一方の眼の眼球運動を１つもしくは複数の他の対象もしくは対照の眼の眼球運動と比較することを含む、項目３６に記載の方法。
（項目４１）
前記対象の少なくとも一方の眼の眼球運動を正常なまたは平均の眼球運動と比較する前記ステップが、前記対象の両方の眼の眼球運動を１つまたは複数の他の対象または対照の一方または両方の眼の眼球運動と比較することを含む、項目３６に記載の方法。
（項目４２）
前記追跡するステップ、分析するステップ、および比較するステップが、瞳孔位置の未処理のｘおよびｙデカルト座標を収集すること、前記未処理のｘおよびｙデカルト座標を正規化すること、ならびに眼によってデータを分類することを含む、項目３６に記載の方法。
（項目４３）
前記分析するステップおよび比較するステップが、
【数４０−１】
2016523632.tif 000009
【数４０−２】
2016523632.tif 000010
からなる群から選択される１つまたは複数の個々の測定基準を計算することを含む、項目３６に記載の方法。
（項目４４）
前記分析するステップおよび比較するステップが、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ  ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ
ｖａｒＹｌｅｆからなる群から選択される１つまたは複数の個々の測定基準を計算することを含む、項目３６に記載の方法。
（項目４５）
前記構造的または非構造的外傷性脳傷害が、脳振盪または軽症脳振盪である、項目３６に記載の方法。
（項目４６）
対象における構造的および非構造的外傷性脳傷害によって特徴付けられ、またはそれを特徴として備える疾患を診断するための方法であって、
ａ）前記対象の少なくとも一方の眼の眼球運動を追跡するステップと；
ｂ）前記対象の少なくとも一方の眼の眼球運動を分析するステップと；
ｃ）前記対象の少なくとも一方の眼の眼球運動を正常なまたは平均の眼球運動と比較するステップと；任意選択で
ｄ）前記正常なまたは平均の眼球運動と比較した前記対象の少なくとも一方の眼の眼球運動についての標準偏差またはｐ値を計算するステップと
を含む、方法。
（項目４７）
前記対象の両方の眼の眼球運動が追跡および分析される、項目４６に記載の方法。
（項目４８）
対象の一方または両方の眼についての眼の位置のｘおよびｙ座標の両方が収集される、項目４６に記載の方法。
（項目４９）
前記眼球運動が、少なくとも約１００秒またはそれ超にわたって追跡される、項目４６に記載の方法。
（項目５０）
前記対象の少なくとも一方の眼の眼球運動を正常なまたは平均の眼球運動と比較する前記ステップが、前記対象の少なくとも一方の眼の眼球運動を前記対象の他方の眼の眼球運動と比較すること、または前記対象の少なくとも一方の眼の眼球運動を１つもしくは複数の他の対象もしくは対照の眼の眼球運動と比較することを含む、項目４６に記載の方法。
（項目５１）
前記対象の少なくとも一方の眼の眼球運動を正常なまたは平均の眼球運動と比較する前記ステップが、前記対象の両方の眼の眼球運動を１つまたは複数の他の対象または対照の一方または両方の眼の眼球運動と比較することを含む、項目４６に記載の方法。
（項目５２）
前記追跡するステップ、分析するステップ、および比較するステップが、瞳孔位置の未処理のｘおよびｙデカルト座標を収集すること、前記未処理のｘおよびｙデカルト座標を正規化すること、ならびに眼によってデータを分類することを含む、項目４６に記載の方法。
（項目５３）
前記分析するステップおよび比較するステップが、
【数４１−１】
2016523632.tif 000011
【数４１−２】
2016523632.tif 000012
からなる群から選択される１つまたは複数の個々の測定基準を計算することを含む、項目４６に記載の方法。
（項目５４）
前記分析するステップおよび比較するステップが、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ  ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ  ｖａｒＹｌｅｆからなる群から選択される１つまたは複数の個々の測定基準を計算することを含む、項目４６に記載の方法。
（項目５５）
前記構造的または非構造的外傷性脳傷害が、脳振盪または軽症脳振盪である、項目４６に記載の方法。
（項目５６）
対象における構造的および非構造的外傷性脳傷害を評価もしくは定量化し、または構造的および非構造的外傷性脳傷害によって特徴付けられ、もしくはそれを特徴として備える疾患を診断するための方法であって、
ａ）前記対象の少なくとも一方の眼の眼球運動を追跡するステップと；
ｂ）瞳孔位置の未処理のｘおよびｙデカルト座標を収集するステップと；
ｃ）前記未処理のｘおよびｙデカルト座標を正規化するステップと；
ｄ）１つまたは複数の個々の測定基準を計算するステップと
を含む、方法。
（項目５７）
前記対象の両方の眼の眼球運動が追跡および分析される、項目５６に記載の方法。
（項目５８）
前記対象の両方の眼の瞳孔位置のｘおよびｙ座標の両方が収集される、項目５６に記載の方法。
（項目５９）
前記眼球運動が、少なくとも約１００秒またはそれ超にわたって追跡される、項目５６に記載の方法。
（項目６０）
前記個々の測定基準が、
【数４２−１】
2016523632.tif 000013
【数４２−２】
2016523632.tif 000014
からなる群から選択される、項目５６に記載の方法。
（項目６１）
前記個々の測定基準が、Ｌ  ｈｅｉｇｈｔ、Ｌ  ｗｉｄｔｈ、Ｌ  ａｒｅａ、Ｌ  ｖａｒＸｒｉｔ、Ｌ  ｖａｒＸｌｅｆ、Ｌ  ｖａｒＴｏｔａｌ、Ｒ  ｈｅｉｇｈｔ、Ｒ  ｗｉｄｔｈ、Ｒ  ａｒｅａ、Ｒ  ｖａｒＹｔｏｐ、Ｒ  ｖａｒＸｒｉｔ、Ｒ  ｖａｒＸｌｅｆ、Ｒ  ｖａｒＴｏｔａｌ、Ｃｏｎｊ  ｖａｒＸ、Ｃｏｎｊ  ｖａｒＸｒｉｔ、Ｃｏｎｊ  ｖａｒＸｂｏｔ、Ｃｏｎｊ  ｖａｒＸｌｅｆ、およびＣｏｎｊ  ｖａｒＹｌｅｆからなる群から選択される、項目２１に記載の方法。
（項目６２）
前記構造的または非構造的外傷性脳傷害が、脳振盪または軽症脳振盪である、項目５６に記載の方法。
（項目６３）
対象における構造的および非構造的外傷性脳傷害を検出し、それについてスクリーニングし、またはそれを定量化するのに有用であるキットであって、眼球運動を追跡するためのデバイス、眼球運動追跡データを分析するための１つまたは複数の手段、例えば、アルゴリズムまたはコンピュータプログラムなど、および指示書を含有する、キット。
（項目６４）
対象における構造的および非構造的外傷性脳傷害を評価もしくは定量化し、または構造的および非構造的外傷性脳傷害によって特徴付けられ、もしくはそれを特徴として備える疾患を診断するために自己に記憶された指示を有する非一時的なコンピュータ可読媒体であって、前記指示は、ハードウェアプロセッサによって実行されるとき、
ａ）前記対象の一方または両方の眼の眼球運動に関係するデータを受け取るステップと；
ｂ）前記対象の一方または両方の眼の前記眼球運動データを分析するステップと；
ｃ）前記対象の一方または両方の眼の眼球運動データを正常なまたは平均の眼球運動と比較するステップと；任意選択で
ｄ）前記正常なまたは平均の眼球運動と比較した前記対象の一方または両方の眼の眼球運動についての標準偏差またはｐ値を計算するステップと
を実施する、非一時的なコンピュータ可読媒体。
（項目６５）
対象における構造的および非構造的外傷性脳傷害を定量化し、または構造的および非構造的外傷性脳傷害によって特徴付けられ、もしくはそれを特徴として備える疾患を診断するために自己に記憶された指示を有する項目６４に記載の非一時的なコンピュータ可読媒体であって、前記指示は、ハードウェアプロセッサによって実行されるとき、
ａ）前記対象の少なくとも一方の眼の眼球運動を追跡するステップと；
ｂ）瞳孔位置の未処理のｘおよびｙデカルト座標を収集するステップと；
ｃ）前記未処理ｘおよびｙデカルト座標を正規化するステップと；
ｄ）１つまたは複数の個々の測定基準を計算するステップと
をさらに実施する、項目６４に記載の非一時的なコンピュータ可読媒体。